(57)【要約】【課題】折り畳み式の携帯情報端末機器用のストラップにおいて、携帯情報端末機器が離脱して落下する危険性を低減し、また製造工程も簡易で、さらに、通し孔の周回り長さを調整することができる携帯情報端末機器用のストラップを提供することを目的とする。【解決手段】携帯情報端末機器（Ｐ）の二つ折れ部（Ｐ１）に係合する係合部材（１）を環状体により構成し、貫通孔（２１）を形成した締め具（２）に前記係合部材（１）を二つ折りにした際の端部を挿通して連結部（Ｃ２）を設け、前記連結部（Ｃ２）をストラップ本体（３）に連結したことを特徴とする携帯情報端末機器用のストラップ。【選択図】　　　　図１
2004008261.tif 000002
【特許請求の範囲】
【請求項１】
携帯情報端末機器（Ｐ）の二つ折れ部（Ｐ１）に係合する係合部材（１）を環状体により構成し、貫通孔（２１）を形成した締め具（２）に前記係合部材（１）を二つ折りにした際の端部を挿通して連結部（Ｃ２）を設け、前記連結部（Ｃ２）をストラップ本体（３）に連結したことを特徴とする携帯情報端末機器用のストラップ。
【請求項２】
締め具（２）により、挿通した係合部材（１）を締め付けてストラップ本体（３）に連結している請求項１記載の携帯情報端末機器用のストラップ。
【請求項３】
係合部材（１）が断面平坦な薄肉形状の伸縮材料からなる請求項１又は２記載の携帯情報端末機器用のストラップ。
【発明の詳細な説明】
【０００１】
【発明の属する技術分野】
本発明は、携帯情報端末機器用のストラップに関するものである。
【０００２】
【従来の技術】
従前より、折り畳み式の携帯電話機器等の携帯情報端末機器に取り付けて、携帯情報端末機器を手等にぶら下げて携行できるようにしたストラップが知られている。ここで前記折り畳み式の携帯情報端末機器について簡単に説明すると、図４に示すとおり、そのボディー部が、液晶表示部等を設けた上側ボディー部Ｐ２と、操作部等を設けた下側ボディー部Ｐ３とを二つ折れ部Ｐ１により連結してなるものであり、液晶表示部等と操作部等とが重ね合わさるように上側ボディー部Ｐ２と下側ボディー部Ｐ３とを重合できるようになっている。
【０００３】
この折り畳み式の携帯情報端末機器用のストラップの取り付け手段としては、携帯情報端末機器のボディー部の端部に形成したストラップ貫通孔を利用したものや、環状からなる係合部材１０を携帯情報端末機器に係合するものがある。後者のストラップの具体的構成は、図５に示すように、係合部材１０が、ストラップ本体の両端に連結部により連結し、ストラップ全体として輪体を形成している。係合部材１０において、連結部は結び目Ｑにより形成される。ところで、このストラップを取り付けるには、係合部材１０を広げ、二つ折れ部Ｐ１近傍に位置することとなるまで上側ボディー部Ｐ２の上方から挿入し、係合部材１０を二つ折れ部Ｐ１と上側ボディー部Ｐ２との間に形成される溝に掛けるか、又はストラップ全体からなる輪体を、二つ折れ部Ｐ１近傍に位置することとなるまで上側ボディー部Ｐ２の上方から挿入し、係合部材１０を二つ折れ部Ｐ１と上側ボディー部Ｐ２との間に形成される溝に掛けて取り付ける。
【０００４】
【発明が解決しようとする課題】
ところが、係合部材１０において、ストラップ本体と連結する連結部が結び目Ｑにより形成されていることから携帯情報端末機器の自重等により経時的に結び目Ｑの締め具合が緩くなって、結び目Ｑが解けて携帯情報端末機器Ｐがストラップから離脱して落下する可能性がある。しかも、結びつけるという製造工程は煩雑である。
【０００５】
【発明を解決するための手段】
そこで、本発明の携帯情報端末機器用のストラップは、上述した不具合に鑑みて、携帯情報端末機器の二つ折れ部に係合する係合部材を環状体により構成し、貫通孔を形成した締め具に前記係合部材を二つ折りにした際の端部を挿通して連結部を設け、前記連結部をストラップ本体に連結したことを特徴とする。
【０００６】
このようなものであると、係合部材とストラップ本体とを連結する連結部が結び目により形成されないので、経時的に結び目の締め具合が緩くなり携帯情報端末機器が離脱して落下する危険性が低減し、また製造工程も簡易になる。さらに、係合部材と締め具によって通し孔の周回り長さを調整して、携帯情報端末機器のボディー部の胴回り長さに合致させることができる。
【０００７】
また、締め具により、挿通した係合部材を締め付けてストラップ本体に連結すれば、締め具を係合部材上でスライド可能とする一方、締め具を任意の位置にて駐止できる。
【０００８】
また、携帯情報端末機器にストラップを容易に取り付けることができ、取り付け後は離脱し難く、また、携帯情報端末機器に傷等をつけないようにするには係合部材を断面平坦な薄肉形状の伸縮材料とすることが好ましい。
【０００９】
【発明の実施の形態】
次に、本発明の実施の形態につき、図面を参照して説明する。
【００１０】
図１に示すストラップは、携帯情報端末機器Ｐである折畳み式の携帯電話機器に取り付けて当該携帯電話機器を手等にぶら下げて携行できるようにするものである。
【００１１】
まず、折り畳み式の携帯電話機器について簡単に説明すると、上述のとおり、そのボディー部が、液晶表示部等を設けた上側ボディー部Ｐ２と、操作部等を設けた下側ボディー部Ｐ３とを二つ折れ部Ｐ１により連結してなるものであり、液晶表示部等と操作部等とが重ね合わさるように上側ボディー部Ｐ２と下側ボディー部Ｐ３とを重合できるようになっている（図４）。
【００１２】
次に、ストラップについて説明すると、このストラップは、図１に示すように、環状体により構成される係合部材１と、この係合部材１の任意の一部を二つ折にしてなる端部１５から挿通してあり係合部材１上をスライドできるようにした二つの締め具２と、前記係合部材１と後述するストラップ本体３との間に介在する連結部材４１、４２と、前記連結部材４１、４２を介して係合部材１に連結してあるストラップ本体３とから構成してある。
【００１３】
次に各部を詳述する。
【００１４】
係合部材１は、携帯電話機器Ｐの二つ折れ部Ｐ１に係合するものである。断面平坦な薄肉形状の伸縮材料からなり、係合部材１の円弧の一部を二つの締め具２によって閉じてなる通し孔Ｃ１と、この通し孔Ｃ１の隣において各一の締め具２によって閉じてなる左右連結部Ｃ２とを形成する。以下、この係合部材１のうち、前記通し孔Ｃ１を形成することとなる互いに対向する円弧部分を第一、第二円弧部１１、１２と称し、左右連結部Ｃ２をそれぞれ形成する円弧部分を第三、第四円弧部１３、１４と称する。本実施の形態における係合部材１は、平ゴムと称される一定の横幅長さｗを有する透明の弾性紐部材からなるものとしてあり、その弾性復帰力に逆らって引き伸ばし、通し孔Ｃ１の大きさを広げることが可能である。
【００１５】
各締め具２は、挿通した係合部材１を締め付けるものであり、本実施の形態においては、前記係合部材１の断面形状と異なった端面形状の貫通孔２１を有する。より具体的には、これら締め具２は、その外形状を概略球形状のものとするとともに、前記貫通孔２１を、端面形状が円状のものとしてある。特に、貫通孔２１の直径長さｄは、前記係合部材１を形成する弾性紐部材の横幅長さｗより小さくしてある。しかして、各締め具２は、弾性紐部材を締め付けながらスライドさせることができ、任意の位置に駐止させることができるようになっている。すなわち、貫通孔２１の直径長さｄは、前記係合部材１を形成する弾性紐部材の横幅長さｗより小さいので、係合部材１が弾性変形し、その弾性復帰力に対する反力によって係合部材１が締め付けられる。尚、挿通孔２１は断面略Ｏ型には限らない。例えば、断面略Ｃ型のように、締め具２の機能を果たせるものであればよい。
【００１６】
連結部材４１、４２は、左右連結部Ｃ２をそれぞれ形成する第三円弧部と第四円弧部にそれぞれ取り付けてあるものである。より具体的には、これら連結部材４１、４２は、リング状の金具であり、第三円弧部或いは第四円弧部に挿通し、係合部材１と連結部材４１、４２とがリング結合されるものとしてある。尚、連結部材４１、４２は、係合部材１と各締め具２により固定され、結果として携帯電話機器Ｐに対するストラップ本体３の端部の位置が固定される。
【００１７】
ストラップ本体３は、その一端を一の連結部材４１に取り付けるとともにその他端を他の連結部材４２に取り付けたものであり、軸芯紐３１に複数の挿通体３２を挿通させてなる。本実施の形態においては、各挿通体３２を概略星型形状のものとしてある。
【００１８】
従って、以上のように構成したストラップであれば、締め具２を二つとしたので、そのいずれか又は両方の締め具２をスライドさせれば、極めて容易に係合部材１の周回り長さを調整することができ、また、係合部材１のうち、通し孔Ｃ１を形成する部分を係合部材１における任意の位置に設けることができる。
【００１９】
連結部材４１、４２は、係合部材１と各締め具２により固定され、結果として携帯電話機器Ｐに対するストラップ本体３の端部の位置が固定されることで、例えば、図５のように、ストラップ本体３は、上側ボディー部Ｐ２の両端付近に対称的に位置することになるので、取り付けた携帯電話機器Ｐを常に安定した向きで手等にぶら下げて携行することができ、ストラップとしての使い勝手が良いものとなる。また各挿通体３２は略星形状のものとしてあるため、美感に訴えやすい体裁のストラップ本体３となる。
【００２０】
ストラップ本体３は連結部材４１、４２を介して係合部材１に連結されているので、ストラップ本体３の可動範囲が広くなり、携行しやすい。また、製造工程も容易となる。
【００２１】
次に、本ストラップの携帯電話機器Ｐへの取付方法につき、説明する。
【００２２】
まず、図４に示すように、携帯電話機器Ｐのボディー部を展開した状態としておく。次に、係合部材１をその弾性復帰力に逆らって引き伸ばして通し孔Ｃ１を引っ張り広げた状態とし、前記通し孔Ｃ１を形成する係合部材１の第一、第二円弧部１１、１２が二つ折れ部Ｐ１近傍に位置することとなるまで、携帯電話機器Ｐを上側ボディー部Ｐ２の上方から通し孔Ｃ１へ挿入する。尚、最終的には本実施の形態における携帯電話機器Ｐの二つ折れ部Ｐ１と上側ボディー部Ｐ２との間に形成される溝に第一円弧部１１或いは第二円弧部１２を掛け止めてもよい。また、ストラップ本体３と、連結部材４１、４２と、係合部材１とからなる輪体を、二つ折れ部Ｐ１近傍に位置することとなるまで携帯電話機器Ｐ上側ボディー部Ｐ２の上方から挿入し、係合部材１を二つ折れ部Ｐ１と上側ボディー部Ｐ２との間に形成される溝に、第一円弧部１１及び第二円弧部１２を掛けて取り付けることもできる。
【００２３】
尚、本発明は図示例に限られるものではない。例えば、係合部材１の周回り長さは適宜に変更可能であり、上記実施の形態におけるそれより大きくしてもよいのは言うまでもない。また、係合部材１は、弾性変形性を有するものに限定されるものではない。加えて、各挿通体３２は、星型形状のものに限られるものではなく、球形状としてもよい。更に、図３に示すように、係合部材１を形成する弾性紐部材の断面形状、及び締め具２の貫通孔２１の端面形状を、それぞれ略円状としてもよい。
【００２４】
その他、本発明の趣旨を逸脱しない範囲で種々変形可能である。
【００２５】
【発明の効果】
従って、本発明のストラップによれば、係合部材とストラップ本体とを連結する連結部が結び目により形成されないので、経時的に結び目の締め具合が緩くなり携帯情報端末機器が離脱して落下する危険性が低減し、また製造工程も簡易になる。さらに、係合部材と締め具によって通し孔の周回り長さを調整して、携帯情報端末機器のボディー部の胴回り長さに合致させることができる。
【図面の簡単な説明】
【図１】本発明の一実施の形態におけるストラップを示す斜視図。
【図２】同実施の形態におけるストラップを示す分解斜視図。
【図３】同実施の形態におけるストラップの変形例を示す分解斜視図。
【図４】同実施の形態におけるストラップを携帯電話に連結した状態を示す斜視図。
【図５】従来のストラップを示す斜視図。
【符号の説明】
１　係合部材
２　締め具
３　ストラップ本体
２１　貫通孔
Ｃ１　通し孔
Ｃ２　連結部
Ｐ　携帯電話機器（携帯情報端末機器）
【図１】
2004008261.tif 000003
【図２】
2004008261.tif 000004
【図３】
2004008261.tif 000005
【図４】
2004008261.tif 000006
【図５】
2004008261.tif 000007